(57)【要約】  本技術は、コンテンツの提供側が意図した通りの映像をユーザに視聴させることができるようにする画像処理装置、表示制御方法、およびプログラムに関する。本技術の一側面の画像処理装置は、特定の配信サービスによって配信されるコンテンツの視聴に用いられるアプリケーションの実行中に画質調整を行うことが指示された場合、特定の配信サービス用の画質調整モードの設定に関する表示を含む画質調整メニューを表示させる。本技術は、映像コンテンツの配信サービスに対応したテレビジョン受像機に適用することができる。
2020045108.tif 000002
【特許請求の範囲】
【請求項１】
特定の配信サービスによって配信されるコンテンツの視聴に用いられるアプリケーションの実行中に画質調整を行うことが指示された場合、前記特定の配信サービス用の画質調整モードの設定に関する表示を含む画質調整メニューを表示させる表示制御部を備える
画像処理装置。
【請求項２】
前記表示制御部は、他の配信サービスによって配信されるコンテンツの視聴に用いられるアプリケーションの実行中に画質調整を行うことが指示された場合、前記画質調整モードの設定に関する表示を含まない前記画質調整メニューを表示させる
請求項１に記載の画像処理装置。
【請求項３】
前記表示制御部は、前記画質調整モードのオン、または前記画質調整モードのオフの設定に用いられる表示を含む前記画質調整メニューを表示させる
請求項１に記載の画像処理装置。
【請求項４】
前記画質調整モードがオンに設定された場合、予め設定された画質調整パラメータに従って、前記特定の配信サービスによって配信されるコンテンツの画質を調整する画質調整制御部をさらに備える
請求項３に記載の画像処理装置。
【請求項５】
前記表示制御部は、前記画質調整モードがオンに設定された場合、他の画質調整モードの設定に用いられる表示を操作不可の状態で表示させる
請求項３に記載の画像処理装置。
【請求項６】
前記表示制御部は、前記画質調整モードがオンに設定された場合、画質の調整に関するそれぞれの項目の設定に用いられる表示を操作可能な状態で表示させる
請求項３に記載の画像処理装置。
【請求項７】
前記画質調整パラメータは、前記特定の配信サービスによって配信される全てのコンテンツに共通のパラメータとして設定される
請求項４に記載の画像処理装置。
【請求項８】
前記画質調整パラメータが、前記特定の配信サービスによって配信されるコンテンツ毎に設定される場合、
前記画質調整制御部は、再生対象となるコンテンツの前記画質調整パラメータをサーバから取得し、コンテンツの画質を調整する
請求項４に記載の画像処理装置。
【請求項９】
前記特定の配信サービスが複数あり、
前記画質調整制御部は、それぞれの前記特定の配信サービス用の前記画質調整パラメータに従って、それぞれの前記特定の配信サービスによって配信されるコンテンツの画質を調整する
請求項４に記載の画像処理装置。
【請求項１０】
前記画質調整制御部は、それぞれの前記特定の配信サービス用の前記画質調整パラメータとOffset値とに従って、それぞれの前記特定の配信サービスによって配信されるコンテンツの画質を調整する
請求項９に記載の画像処理装置。
【請求項１１】
前記画質調整制御部は、それぞれの前記特定の配信サービス用の前記画質調整パラメータを、それぞれの前記特定の配信サービスを提供するサーバから取得し、それぞれの前記特定の配信サービス用の前記Offset値を、ユーザによる操作に応じて取得する
請求項１０に記載の画像処理装置。
【請求項１２】
画像処理装置が、
特定の配信サービスによって配信されるコンテンツの視聴に用いられるアプリケーションの実行中に画質調整を行うことが指示された場合、前記特定の配信サービス用の画質調整モードの設定に関する表示を含む画質調整メニューを表示させる
表示制御方法。
【請求項１３】
コンピュータに、
特定の配信サービスによって配信されるコンテンツの視聴に用いられるアプリケーションの実行中に画質調整を行うことが指示された場合、前記特定の配信サービス用の画質調整モードの設定に関する表示を含む画質調整メニューを表示させる
処理を実行させるためのプログラム。
【発明の詳細な説明】
【技術分野】
【０００１】
本技術は、画像処理装置、表示制御方法、およびプログラムに関し、特に、コンテンツの提供側が意図した通りの映像をユーザに視聴させることができるようにした画像処理装置、表示制御方法、およびプログラムに関する。
【背景技術】
【０００２】
近年、映画やテレビジョン番組などの映像コンテンツの配信サービスが普及してきている。【０００３】
SDR(Standard Dynamic Range)の映像を収録したコンテンツだけでなく、ダイナミックレンジを拡張したHDR(High Dynamic Range)の映像を収録したコンテンツの配信を行う配信サービスも出てきている。
【先行技術文献】
【特許文献】
【０００４】
【特許文献１】特開２０１０−１２４４２９号公報
【発明の概要】
【発明が解決しようとする課題】
【０００５】
コンテンツの提供者側としては、提供者が意図した通りの画質の映像をユーザに視聴してもらうことが好ましい。【０００６】
TVの画質調整機能を用いてユーザが自ら輝度の調整をしているときには、提供者が意図した画質とは異なる画質の映像が表示されてしまうことがある。【０００７】
本技術はこのような状況に鑑みてなされたものであり、コンテンツの提供側が意図した通りの映像をユーザに視聴させることができるようにするものである。
【課題を解決するための手段】
【０００８】
本技術の一側面の画像処理装置は、特定の配信サービスによって配信されるコンテンツの視聴に用いられるアプリケーションの実行中に画質調整を行うことが指示された場合、前記特定の配信サービス用の画質調整モードの設定に関する表示を含む画質調整メニューを表示させる表示制御部を備える。【０００９】
本技術の一側面においては、特定の配信サービスによって配信されるコンテンツの視聴に用いられるアプリケーションの実行中に画質調整を行うことが指示された場合、前記特定の配信サービス用の画質調整モードの設定に関する表示を含む画質調整メニューが表示される。
【図面の簡単な説明】
【００１０】
【図１】コンテンツ配信システムの構成例を示す図である。
【図２】TVのアプリケーション構造の例を示す図である。
【図３】番組視聴中の画質調整メニューの表示例を示す図である。
【図４】図３の画質調整メニューを拡大して示す図である。
【図５】Picture modeの選択メニューの表示例を示す図である。
【図６】画質調整メニューの他の表示例を示す図である。
【図７】図６の画質調整メニューを拡大して示す図である。
【図８】図６の画質調整メニューを拡大して示す図である。
【図９】画質調整メニューの表示の切り替えの例を示す図である。
【図１０】TVのハードウェア構成例を示すブロック図である。
【図１１】TVの機能構成例を示すブロック図である。
【図１２】画質調整処理について説明するフローチャートである。
【図１３】他の画質調整処理について説明するフローチャートである。
【図１４】デバイスの例を示す図である。
【図１５】画質調整パラメータの提供の例を示す図である。
【図１６】画質調整パラメータの提供の他の例を示す図である。
【図１７】画質調整メニューの表示例を示す図である。
【図１８】画質調整メニューを拡大して示す図である。
【図１９】Partner Offsetの設定時の表示例を示す図である。
【図２０】Offsetメニューを拡大して示す図である。
【図２１】配信サービス毎の画面の表示例を示す図である。
【図２２】画質調整パラメータの管理の例を示す図である。
【図２３】コンピュータの構成例を示すブロック図である。
【発明を実施するための形態】
【００１１】
以下、本技術を実施するための形態について説明する。説明は以下の順序で行う。
１．コンテンツ配信システムの構成
２．画質調整メニューの表示
３．TVの構成と動作
４．変形例
５．特定の配信サービスが複数ある場合の例
【００１２】
＜コンテンツ配信システムの構成＞
図１は、本技術の一実施形態に係るコンテンツ配信システムの構成例を示す図である。
【００１３】
図１のコンテンツ配信システムは、TV１と配信サーバ２−１乃至２−Ｎが、インターネットなどのネットワーク３を介して接続されることによって構成される。TV１の操作にはリモートコントローラ４が用いられる。リモートコントローラ４からTV１に対しては、ユーザが押下したボタンに応じたコマンドが送信される。
【００１４】
TV１と配信サーバ２−１乃至２−Ｎの間では、ネットワーク３を介した通信が行われる。ネットワーク３は、有線のネットワーク、無線のネットワーク、および有線と無線を組み合わせたネットワークのいずれの形態のものであってもよい。以下、適宜、配信サーバ２−１乃至２−Ｎをそれぞれ区別する必要がない場合、配信サーバ２という。
【００１５】
画像処理装置であるTV１は、図示せぬ放送局が放送する、地上デジタル放送、衛星放送、ケーブル放送などのテレビジョン放送を受信する。放送局による番組の放送は、チャンネル毎に、予め決められたスケジュールに従って行われる。
【００１６】
TV１は、放送された番組の映像をディスプレイに表示するとともに、音声をスピーカから出力する。例えば、TV１が有するディスプレイは、いわゆる4K解像度（3840×2160）の画素を有し、HDRの映像の表示に対応したディスプレイである。
【００１７】
また、TV１は、放送によって提供された番組を受信する機能だけでなく、ネットワーク３を経由して提供されたコンテンツを受信する機能を有する。ネットワーク３を経由したコンテンツの提供は、例えばストリーミングにより行われる。コンテンツの提供がダウンロードにより行われるようにしてもよい。
【００１８】
TV１は、例えばリモートコントローラ４を用いた操作によって所定の配信サービスが選択された場合、配信サービスのメイン画面をディスプレイに表示させる。TV１においては、それぞれ異なる事業者が提供する、複数の配信サービスを利用することが可能とされている。
【００１９】
TV１は、配信サーバ２から送信されてきたコンテンツを受信し、再生する。TV１は、コンテンツを構成するビデオデータを再生して得られた映像をディスプレイに表示するとともに、オーディオデータを再生して得られた音声をスピーカから出力する。
【００２０】
配信サーバ２は、配信サービスを提供するサーバである。配信サーバ２−１は配信サービスＡを提供するサーバであり、配信サーバ２−２は配信サービスＢを提供するサーバである。配信サーバ２−Ｎは配信サービスＮを提供するサーバである。
【００２１】
１つの配信サービスが１つの配信サーバ２によって提供されるようにしてもよいし、複数の配信サーバ２によって提供されるようにしてもよい。複数の配信サービスが１つの配信サーバ２によって提供されるようにすることも可能である。
【００２２】
このように、TV１のユーザは、複数の配信サービスの中から所定の配信サービスを選択し、選択した配信サービスによって提供されるコンテンツを視聴することができる。TV１は汎用のOS(Operating System)を搭載した機器であり、それぞれの配信サービスを利用するためのアプリケーションがインストールされている。
【００２３】
図２は、TV１のアプリケーション構造の例を示す図である。
【００２４】
TV１には、TV用OS１１が搭載される。TV用OS１１上で動作する各種のアプリケーションがTV１にインストールされる。図２の例においては、TV視聴アプリケーション１２−１、検索アプリケーション１２−２、画質調整アプリケーション１２−３、コンテンツ視聴アプリケーション１２−Ａ乃至１２−Ｎが示されている。
【００２５】
TV視聴アプリケーション１２−１は、放送された番組の視聴を管理するアプリケーションである。TV視聴アプリケーション１２−１の起動中、ユーザは、リモートコントローラ４を操作して所定のチャンネルを選択し、選択したチャンネルで放送されている番組を視聴することができる。
【００２６】
検索アプリケーション１２−２は、リモートコントローラ４を操作して、または音声によってユーザにより入力されたキーワードに基づいてWeb上の情報の検索を行うアプリケーションである。
【００２７】
画質調整アプリケーション１２−３は、TV１のディスプレイの画質調整を管理するアプリケーションである。画質調整アプリケーション１２−３は、画質調整を行うことがユーザにより指示された場合、画質に関する各種の項目の設定用のGUI(Graphical User Interface)である画質調整メニューを表示させる。
【００２８】
画質調整アプリケーション１２−３は、画質調整メニューに対するユーザの操作に応じて、ピクチャモード、輝度、色味などの各種の項目の画質調整パラメータを設定する。画質調整アプリケーション１２−３が有する画質調整の機能、画質調整メニューの表示機能が、TV用OS１１の機能として用意されるようにしてもよい。
【００２９】
コンテンツ視聴アプリケーション１２−Ａは、配信サーバ２−１により提供される配信サービスＡを利用するためのアプリケーションである。
【００３０】
例えばコンテンツ視聴アプリケーション１２−Ａの起動時、TV１には、配信サーバ２−１から送信されてきた情報に基づいて配信サービスＡのメイン画面が表示される。メイン画面には、タイトルやサムネイル画像などの、視聴可能なコンテンツに関する情報が表示されており、ユーザは、それらの情報を見て、好みのコンテンツを選択することができる。ユーザが所定のコンテンツを選択したとき、コンテンツの配信が開始される。
【００３１】
コンテンツ視聴アプリケーション１２−Ｂは、配信サーバ２−２により提供される配信サービスＢを利用するためのアプリケーションである。
【００３２】
図２においては図示を省略しているが、TV１には、他の配信サービスを利用するための専用のアプリケーションがそれぞれインストールされる。
【００３３】
また、TV１には、HDD(Hard Disk Drive)などの外付けの記録媒体に記録された録画番組の視聴に用いられるビデオアプリケーション、Webページの表示に用いられるWebブラウザなどのアプリケーションもインストールされる。
【００３４】
例えば、TV視聴アプリケーション１２−１、検索アプリケーション１２−２、画質調整アプリケーション１２−３は、TV１の製造、販売等を行うメーカーにより用意されるソフトウェアである。コンテンツ視聴アプリケーション１２−Ａ乃至１２−Ｎは、それぞれの配信サービスを提供する事業者により用意されるソフトウェアである。
【００３５】
＜画質調整メニューの表示＞
ここで、画質調整メニューの表示例について説明する。画質調整メニューの表示は、特定の配信サービスのコンテンツを視聴している場合と、それ以外の場合とで異なる表示となる。
【００３６】
以下においては、配信サーバ２−１が提供する配信サービスＡが、特定の配信サービスであるものとする。
【００３７】
・番組視聴中の例
図３は、番組視聴中の画質調整メニューの表示例を示す図である。
【００３８】
図３の上段に示すサッカー中継の番組は例えば録画番組である。すなわち、図３の上段に示す画面は、録画番組の視聴に用いられるビデオアプリケーションの起動中の画面である。ユーザにより選択された録画番組がビデオアプリケーションにより再生され、映像がディスプレイに表示される。
【００３９】
図３の上段に示すような画面が表示されている状態で画質調整を行うことが指示された場合、矢印の先に示すように、画質調整メニュー５１が画面の右端に表示される。画面全体のうち、画質調整メニュー５１の表示領域以外の領域においては録画番組の映像の表示が続けられる。
【００４０】
図４は、図３の画質調整メニュー５１を拡大して示す図である。
【００４１】
図４に示すように、画質調整メニュー５１には、画質の調整に関する各項目が縦に並べて表示される。各項目の表示領域の境界を示す破線は、画質調整メニュー５１上に実際に表示される線ではない。
【００４２】
画質調整メニュー５１の上段の領域６１には、画質調整メニューを表す「Picture adjustments」の文字が表示され、その下に「Apps(Video)」が表示される。「Apps(Video)」は、起動中のアプリケーションがビデオアプリケーションであることを表す。
【００４３】
このように、領域６１には、起動中のアプリケーションを表す情報が表示される。例えば、TV視聴アプリケーション１２−１が起動し、放送番組の視聴が行われている場合、TV視聴アプリケーション１２−１が起動していることを表す「Apps(Tuner)」が表示される。
【００４４】
領域６１の下には、領域６２乃至６７が順に形成される。領域６２乃至６７には、画質の調整に関する項目が割り当てられる。ユーザは、リモートコントローラ４を操作して所定の項目を選択し、選択した項目の設定を変更することができる。
【００４５】
領域６２は、Picture mode（ピクチャモード）の設定に用いられる領域である。Picture modeは全体的な画質調整モードである。図４の例においては「Standard」が設定されている。
【００４６】
例えば、Picture modeの項目が選択された場合、図５に示すように、画質調整メニュー５１に代えて、Picture modeの選択メニュー５１Ａが表示される。図５の例においては、Picture modeの設定値として「Vivid」、「Standard」、「Cinema」が表示されている。ユーザは、リモートコントローラ４を操作し、選択メニュー５１Ａに表示されている設定値の中から所定の設定値を選択する。
【００４７】
図４の説明に戻り、領域６３は、Auto picture modeの設定に用いられる領域である。Auto picture modeは、視聴中の内容に連動させて画質を自動的に切り替える機能である。領域６３には、Auto picture modeのオン／オフを表すスイッチ６３Ａが表示される。ユーザは、Auto picture modeの項目を選択し、Auto picture modeのオン／オフの設定を変更することができる。ここでは、Auto picture modeのオン／オフを領域６３に表示するようにしているが、Picture modeの設定値として「Vivid」、「Standard」、「Cinema」とともに「Auto picture mode」を表示して選択できるようにしても良い。
【００４８】
領域６４は、Brightnessの設定に用いられる領域である。Brightnessは、明るさ（輝度）を表す。図４の例においては「Max」の設定値が設定されている。ユーザは、Brightnessの項目を選択し、明るさの設定を変更することができる。
【００４９】
領域６５は、Colorの設定に用いられる領域である。Colorは、色味を表す。図４の例においては「60」の設定値が設定されている。ユーザは、Colorの項目を選択し、色味の設定を変更することができる。
【００５０】
領域６６は、Light sensorの設定に用いられる領域である。Light sensorは、周囲の明るさに合わせて画面の明るさを自動的に調整する機能である。領域６６には、Light sensorのオン／オフを表すスイッチ６６Ａが表示される。
【００５１】
ユーザは、Light sensorの項目を選択し、Light sensorの機能のオン／オフの設定を変更することができる。図４の例においては、Light sensorの機能がオンとされ、スイッチ６６Ａが明るい色で表示されている。斜線を付して示していることは、スイッチ６６Ａが明るい色で表示されていることを表す。
【００５２】
領域６７は、詳細設定に用いられる領域である。ユーザは、詳細設定の項目を選択し、画質に関する複数の詳細な設定を変更することができる。
【００５３】
録画番組や放送番組の視聴中、以上のような画質調整メニュー５１を用いて画質の調整が行われる。
【００５４】
特定の配信サービスである配信サービスＡ以外の配信サービスによって提供されるコンテンツの視聴中も、同様の画質調整メニュー５１を用いて画質の調整が行われる。
【００５５】
例えば、配信サービスＢによって提供されるコンテンツの視聴中に画質調整を行うことが指示された場合、領域６１には、起動中のアプリケーションがコンテンツ視聴アプリケーション１２−Ｂであることを表す例えば「Service B app」が表示される。また、配信サービスＮによって提供されるコンテンツの視聴中に画質調整を行うことが指示された場合、領域６１には、起動中のアプリケーションがコンテンツ視聴アプリケーション１２−Ｎであることを表す例えば「Service N app」が表示される。
【００５６】
・特定の配信サービスのコンテンツの視聴中の例
図６は、配信サービスＡのコンテンツの視聴中における画質調整メニューの表示例を示す図である。
【００５７】
図６の上段に示すコンテンツは、配信サービスＡによって提供された例えば映画である。ユーザにより選択されたコンテンツがコンテンツ視聴アプリケーション１２−Ａにより再生され、コンテンツの映像がディスプレイに表示される。
【００５８】
図６の上段に示すような画面が表示されている状態で画質調整を行うことが指示された場合、矢印の先に示すように、画質調整メニュー５１が画面の右端に表示される。画面全体のうち、画質調整メニュー５１の表示領域以外の領域においてはコンテンツの映像の表示が続けられる。
【００５９】
図７は、図６の画質調整メニュー５１を拡大して示す図である。
【００６０】
図７に示す画質調整メニュー５１の表示のうち、図４を参照して説明した表示と同じ表示には同じ符号を付してある。重複する説明については適宜省略する。
【００６１】
図７に示すように、領域６１には、起動中のアプリケーションがコンテンツ視聴アプリケーション１２−Ａであることを表す「Service A app」が表示される。
【００６２】
図７の画質調整メニュー５１において、領域６３は、Service A calibrated modeの設定に用いられる領域となる。すなわち、領域６３は、Auto picture modeに代えて、Service A calibrated modeの領域となる。領域６３には、Service A calibrated modeのオン／オフを表すスイッチ６３Ｂが表示される。
【００６３】
Service A calibrated modeは、配信サービスＡ用の画質調整モードである。
【００６４】
Service A calibrated modeがオンである場合、配信サービスＡのコンテンツの画質調整は、配信サービスＡ用として設定された画質調整パラメータに従って行われる。例えば、Service A calibrated modeによる画質調整は、配信サービスＡが配信する全てのコンテンツに共通の画質調整パラメータを用いて行われる。
【００６５】
配信サービスＡ用の画質調整パラメータは、予め設定され、コンテンツ視聴アプリケーション１２−Ａにより管理されている。配信サービスＡ用の画質調整パラメータが、Service A calibrated modeがオンに設定されたタイミングで配信サーバ２−１から取得されるようにしてもよい。
【００６６】
一方、Service A calibrated modeがオフである場合、配信サービスＡのコンテンツの画質調整は、Picture modeを含む、他の領域の表示を用いてユーザにより設定された画質調整パラメータに従って行われる。Picture modeは、番組の画質調整や、配信サービスＡ以外の他の配信サービスのコンテンツの画質調整だけでなく、Service A calibrated modeがオフである場合には、配信サービスＡのコンテンツの画質調整にも用いることが可能とされる。
【００６７】
図７の例においては、Service A calibrated modeはオフに設定されている。例えば、Service A calibrated modeのデフォルトの設定はオフとなる。
【００６８】
他の領域の項目は、図４を参照して説明した項目と同じである。
【００６９】
図７の例においては、領域６４のBrightnessの設定は「35」とされ、領域６５のColorの設定は「50」とされている。また、領域６６のLight sensorの設定はオフとされている。
【００７０】
図８は、画質調整メニュー５１の表示例を示す図である。
【００７１】
Service A calibrated modeがオンに設定された場合、操作不可の状態であることを示すように、領域６２がグレーアウトして表示される。すなわち、Picture modeの設定を変更することが禁止される。画質調整モードとして、Picture modeの設定より、Service A calibrated modeの設定が優先されることになる。
【００７２】
図８の例においては、領域６３のスイッチ６３Ｂがオンとされ、スイッチ６３Ｂが目立つ色で表示されている。
【００７３】
図９は、Service A calibrated modeがオンに設定されている場合の画質調整メニュー５１の表示例を示す図である。
【００７４】
Service A calibrated modeがオンに設定されている場合、図９の上段に示すように、Picture modeがグレーアウトして表示される。この状態において、ユーザがリモートコントローラ４を操作してPicture modeの領域６２を選択した場合、矢印の先に示すように、Picture modeの変更が禁止されていることを通知するメッセージ９１が表示される。
【００７５】
ユーザは、Picture modeを変更する場合には、Service A calibrated modeの設定をオフに切り替え、その後、Picture modeを変更することになる。
【００７６】
図８の説明に戻り、領域６４のBrightnessの設定は「40」とされ、領域６５のColorの設定は「70」とされている。これらのBrightness、Colorの設定は、配信サービスＡ用の画質調整パラメータに基づく設定である。詳細設定に含まれる他の項目も、適宜、配信サービスＡ用の画質調整パラメータに基づいて設定される。
【００７７】
Service A calibrated modeがオンに設定された場合でも、Picture mode以外の他の項目は操作可能な状態で表示される。ユーザは、Picture mode以外の他の項目については設定を変更することができる。
【００７８】
このように、TV１には、配信サービスＡ用の画質調整モードであるService A calibrated modeが用意される。
【００７９】
Service A calibrated modeの画質調整パラメータは、例えば配信サービスＡの事業者により用意されたパラメータである。配信サービスＡのコンテンツに対しては、配信サービスＡの事業者の意図に沿った画質調整が施されることになる。
【００８０】
配信サービスＡの事業者は、事業者側の意図した通りの画質の映像をユーザに視聴させることができる。
【００８１】
ユーザとしても、事業者側の意図した通りの画質でコンテンツの映像を視聴することができる。
【００８２】
以上のようにして画質調整を行うTV１の処理についてはフローチャートを参照して後述する。
【００８３】
＜TVの構成と動作＞
・TVの構成
図１０は、TV１のハードウェア構成例を示すブロック図である。
【００８４】
チューナ１０１は、図示せぬアンテナから供給された放送波信号、または、衛星放送やケーブルテレビのセットトップボックスから供給された放送波信号を受信し、ユーザにより選択されたチャンネルの信号を抽出する。チューナ１０１は、抽出した信号に対して、A/D変換、復調などの各種の処理を施し、各種の処理を施すことによって取得した番組のデータをデコーダ１０２に出力する。
【００８５】
デコーダ１０２は、番組のデータを構成するビデオストリームをデコードし、デコードして得られた各ピクチャのデータを信号処理部１０３に出力する。また、デコーダ１０２は、番組のデータを構成するオーディオストリームをデコードし、番組の音声データを信号処理部１０３に出力する。
【００８６】
デコーダ１０２は、所定の配信サービスのコンテンツを再生する場合、通信部１１１において受信され、バス１０６を介して供給されたコンテンツのビデオストリームとオーディオストリームをデコードする。デコーダ１０２は、コンテンツのビデオストリームをデコードして得られた各ピクチャのデータと、オーディオストリームをデコードして得られた音声データを信号処理部１０３に出力する。
【００８７】
信号処理部１０３は、CPU１０７による制御に従って、デコーダ１０２から供給された各ピクチャの画質調整を行う。信号処理部１０３は、画質調整後のピクチャをディスプレイ１０４に出力し、番組やコンテンツの映像を表示させる。
【００８８】
また、信号処理部１０３は、デコーダ１０２から供給された音声データのD/A変換等を行い、映像に同期させて、番組やコンテンツの音声をスピーカ１０５から出力させる。
【００８９】
ディスプレイ１０４は、4K解像度の画素を有し、HDRの映像の表示に対応したディスプレイである。ディスプレイ１０４は、LCD(Liquid Crystal Display)、有機ELディスプレイなどにより構成される。
【００９０】
CPU(Central Processing Unit)１０７、ROM(Read Only Memory)１０８、RAM(Random Access Memory)１０９は、バス１０６により相互に接続される。CPU１０７は、ROM１０８や記録部１１０に記録されているプログラムをRAM１０９を用いて実行し、TV１の全体を制御する。
【００９１】
記録部１１０は、HDD(Hard Disk Drive)やSSD(Solid State Drive)などの記録媒体により構成される。記録部１１０は、番組のデータ、コンテンツ、EPGデータ、プログラムなどの各種のデータを記録する。
【００９２】
通信部１１１は、ネットワーク３のインタフェースである。通信部１１１は、配信サーバ２との間で通信を行う。
【００９３】
操作I/F部１１２は、リモートコントローラ４から送信されてきたコマンドを受信し、バス１０６を介してCPU１０７に出力する。
【００９４】
図１１は、TV１の機能構成例を示すブロック図である。
【００９５】
図１１に示すように、TV１においては、コンテンツ再生制御部１２１、画質調整制御部１２２、およびメニュー表示制御部１２３が実現される。
【００９６】
図１１に示す機能部のうちの少なくとも一部は、図１０のCPU１０７により所定のプログラムが実行されることによって実現される。例えば、コンテンツ再生制御部１２１は、コンテンツ視聴アプリケーション１２−Ａが実行されることによって実現される。画質調整制御部１２２とメニュー表示制御部１２３は、画質調整アプリケーション１２−３が実行されることによって実現される。
【００９７】
コンテンツ再生制御部１２１は、通信部１１１を制御することによって配信サーバ２−１と通信を行い、ユーザにより選択されたコンテンツの送信を配信サーバ２−１に要求する。コンテンツ再生制御部１２１は、デコーダ１０２を制御し、配信サーバ２−１から送信されてきたコンテンツを再生させる。
【００９８】
画質調整制御部１２２は、信号処理部１０３において行われる、番組やコンテンツの画質調整を制御する。
【００９９】
例えば、画質調整制御部１２２は、特定の配信サービスである配信サービスＡのコンテンツを再生する場合において、Service A calibrated modeがオンに設定されている場合、配信サービスＡ用の画質調整パラメータに従って画質調整を行わせる。配信サービスＡ用の画質調整パラメータは、例えば、複数の項目の設定値を表す複数のパラメータのセットにより構成される。
【０１００】
また、画質調整制御部１２２は、番組の再生時、または、配信サービスＡ以外の配信サービスのコンテンツの再生時、ユーザにより個別に設定された画質調整パラメータに従って画質調整を行わせる。
【０１０１】
メニュー表示制御部１２３は、画質調整を行うことが指示された場合、画質調整メニューをディスプレイ１０４に表示させる。また、メニュー表示制御部１２３は、画質調整メニューの表示を、上述したようにしてユーザの操作に応じて切り替える。
【０１０２】
・TVの動作
ここで、図１２のフローチャートを参照して、TV１の画質調整処理について説明する。
【０１０３】
図１２の処理は、例えば、画質調整を行うことがユーザにより指示されたときに開始される。
【０１０４】
ステップＳ１において、メニュー表示制御部１２３は、特定の配信サービスである配信サービスＡのコンテンツの視聴中であるか否かを判定する。
【０１０５】
配信サービスＡのコンテンツの視聴中であるとステップＳ１において判定した場合、ステップＳ２において、メニュー表示制御部１２３は、配信サービスＡ用の画質調整モードであるService A calibrated modeの項目を含む画質調整メニュー（図７）を表示させる。
【０１０６】
ステップＳ３において、メニュー表示制御部１２３は、ユーザの操作に応じて、画質調整メニューの表示を上述したようにして切り替える。
【０１０７】
ステップＳ４において、メニュー表示制御部１２３は画質調整メニューを閉じるか否かを判定する。画質調整メニューを閉じるとステップＳ４において判定されるまで、ステップＳ３に戻り、画質調整メニューの表示が続けられる。
【０１０８】
画質調整メニューを閉じるとステップＳ４において判定された場合、ステップＳ５において、画質調整制御部１２２は、配信サービスＡのコンテンツの画質調整を制御し、画質調整後の映像を表示させる。例えば、画質調整メニューを用いてService A calibrated modeがオンに設定された場合、画質調整制御部１２２は、配信サービスＡ用の画質調整パラメータに従って画質調整を行わせる。
【０１０９】
一方、配信サービスＡのコンテンツの視聴中ではないとステップＳ１において判定した場合、ステップＳ６において、メニュー表示制御部１２３は、通常の画質調整メニュー（図４）を表示させる。ここで表示される画質調整メニューには、Service A calibrated modeの項目が含まれていない。
【０１１０】
ステップＳ７において、メニュー表示制御部１２３は、ユーザの操作に応じて、通常の画質調整メニューの表示を切り替える。
【０１１１】
ステップＳ８において、メニュー表示制御部１２３は通常の画質調整メニューを閉じるか否かを判定する。通常の画質調整メニューを閉じるとステップＳ８において判定されるまで、ステップＳ７に戻り、通常の画質調整メニューの表示が続けられる。
【０１１２】
通常の画質調整メニューを閉じるとステップＳ８において判定された場合、ステップＳ９において、画質調整制御部１２２は、番組やコンテンツの画質調整をユーザによる設定に応じて制御し、画質調整後の映像を表示させる。
【０１１３】
ステップＳ５またはステップＳ９において画質調整が行われた後、処理は終了となる。
【０１１４】
以上の処理により、配信サービスＡの事業者は、事業者側の意図した通りの画質の映像をユーザに視聴させることができる。また、ユーザは、事業者側の意図した通りの画質でコンテンツの映像を視聴することができる。
【０１１５】
なお、配信サービスＡが配信するコンテンツは、SDRの映像を収録したコンテンツであってもよいし、HDRの映像を収録したコンテンツであってもよい。SDRの映像の最高輝度が100nit（100cd/m2）であるのに対し、HDRの映像の最高輝度は、それを超える例えば10000nitである。
【０１１６】
TV１が有しているディスプレイ１０４が上述したようにHDRの映像の表示に対応したディスプレイである場合、調整の幅が広いことから、事業者側の意図したものとは異なる画質の調整がユーザにより行われる可能性がある。配信サービスＡ用の画質調整モードであるService A calibrated modeを用意することは、特に、HDRの映像を収録したコンテンツの表示時に有効であると考えられる。
【０１１７】
＜変形例＞
・画質調整パラメータの設定例
Service A calibrated modeがオンに設定された場合に用いられる画質調整パラメータが、配信サービスＡが配信する全てのコンテンツに共通の画質調整パラメータであるものとしたが、コンテンツ毎に用意されるようにしてもよい。この場合、画質調整パラメータは、例えばコンテンツの制作者により用意され、配信サーバ２−１において管理される。
【０１１８】
図１３のフローチャートを参照して、画質調整パラメータがコンテンツ毎に用意される場合の画質調整処理について説明する。
【０１１９】
図１３の処理は、例えば、Service A calibrated modeがオンに設定されたときに開始される。
【０１２０】
ステップＳ２１において、画質調整制御部１２２は、特定の配信サービスのサーバである配信サーバ２−１と通信を行い、再生対象となるコンテンツ用の画質調整パラメータを取得する。
【０１２１】
ステップＳ２２において、画質調整制御部１２２は、配信サーバ２−１から取得した画質調整パラメータに従って、コンテンツの画質調整を信号処理部１０３に行わせる。
【０１２２】
これにより、配信サービスＡが配信するコンテンツの制作者は、制作者側の意図した通りの画質の映像をユーザに視聴させることができる。
【０１２３】
画質調整パラメータが、配信サービスＡが配信するコンテンツのジャンル毎に用意されるようにしてもよいし、TV１の機種毎に用意されるようにしてもよい。また、TV１が有するディスプレイ１０４の表示性能毎に画質調整パラメータが用意されるようにしてもよい。
【０１２４】
・デバイスの例
TV１による以上のような画質調整が、図１４のＡに示す再生機器２０１や図１４のＢに示す携帯端末２０２において行われるようにしてもよい。再生機器２０１は、所定のパッケージメディアの再生に対応した機器、セットトップボックスなどのデバイスである。
【０１２５】
例えば再生機器２０１は、Service A calibrated modeがオンに設定されている場合、配信サービスＡ用の画質調整パラメータに基づいてコンテンツの画質調整を行い、画質調整後の映像をTV１に出力し、表示させる。
【０１２６】
・その他の例
特定の配信サービス用のパラメータとして、画質調整に用いられるパラメータが用意されるものとしたが、コンテンツの音声の音質調整に用いられるパラメータが用意されるようにしてもよい。
【０１２７】
TV１は、Service A calibrated modeがオンに設定されている場合、配信サービスＡ用のパラメータに基づいてコンテンツの音声を調整し、音質調整後の音声を出力することになる。
【０１２８】
＜特定の配信サービスが複数ある場合の例＞
特定の配信サービスが配信サービスＡの１つである場合について説明したが、複数の配信サービスが、特定の配信サービスとして用意されるようにしてもよい。
【０１２９】
この場合、ユーザは、上述したService A calibrated modeと同様の画質調整の機能を、配信サービスＡだけでなく、配信サービスＢ、配信サービスＣなどの他の配信サービスのコンテンツの視聴時にも利用することが可能となる。
【０１３０】
図１５は、画質調整パラメータの提供の例を示す図である。
【０１３１】
TV１においてコンテンツ視聴アプリケーション１２−Ａが起動している場合、コンテンツ視聴アプリケーション１２−Ａと配信サーバ２−１の間で通信が行われ、矢印＃１で示すように、配信サーバ２−１からコンテンツ視聴アプリケーション１２−Ａに対して、配信サービスＡ用の画質調整パラメータが提供される。
【０１３２】
画質調整パラメータの提供が、上述したようにService A calibrated modeがオンに設定されたタイミングで行われるようにしてもよいし、コンテンツの配信が開始されたタイミングなどの任意のタイミングで行われるようにしてもよい。
【０１３３】
Service A calibrated modeがオンに設定されている場合、配信サーバ２−１から提供された画質調整パラメータに基づいて、配信サービスＡのコンテンツの画質調整が行われる。画質調整パラメータの取得と、画質調整パラメータに基づく画質調整は、例えば、画質調整制御部１２２により行われる。
【０１３４】
このような画質調整パラメータの提供が、他の配信サービスの提供を管理する配信サーバによっても行われる。
【０１３５】
図１６は、画質調整パラメータの提供の他の例を示す図である。
【０１３６】
例えば配信サービスＢ用の画質調整モードが用意されている場合、配信サービスＢ用の画質調整モードにおいて用いられる画質調整パラメータが、配信サービスＢの提供を管理する配信サーバ２−２によって提供される。
【０１３７】
すなわち、TV１において起動しているコンテンツ視聴アプリケーション１２−Ｂ（図２）と配信サーバ２−２の間で通信が行われ、矢印＃２で示すように、配信サーバ２−２からコンテンツ視聴アプリケーション１２−Ｂに対して、配信サービスＢ用の画質調整パラメータが提供される。
【０１３８】
配信サービスＢ用の画質調整パラメータの提供も、配信サービスＢ用の画質調整モードがオンに設定されたタイミングや、コンテンツの配信が開始されたタイミングなどの任意のタイミングで行われる。
【０１３９】
配信サービスＢ用の画質調整モードがオンに設定されている場合、配信サーバ２−２から提供された画質調整パラメータに基づいて、配信サービスＢのコンテンツの画質調整が行われる。
【０１４０】
このように複数の配信サービス用の画質調整モードが用意されている場合、画質調整メニューの表示は、図８等を参照して説明した画質調整メニュー５１の表示とは異なるものとなる。
【０１４１】
・画面表示について
図１７は、画質調整メニューの表示例を示す図である。
【０１４２】
配信サービスＡのコンテンツの視聴中において、画質調整を行うことが指示された場合、図１７の上段に示すように、画質調整メニュー３０１が画面の右端に表示される。画面全体のうち、画質調整メニュー３０１の表示領域以外の領域においては、配信サービスＡのコンテンツの映像の表示が続けられる。
【０１４３】
画質調整メニュー３０１には、上述した画質調整メニュー５１と同様の項目が縦に並べて表示される。重複する説明については適宜省略する。
【０１４４】
図１８は、図１７の画質調整メニュー３０１を拡大して示す図である。
【０１４５】
最上段の領域３０１Ａは、ディスプレイ１０４に対する入力の種類（入力種）を表す情報が表示される領域である。図１８の例においては、入力種が「Partner App」とされている。
【０１４６】
「Partner App」は、専用の画質調整モードが用意されている配信サービスを利用するためのアプリケーションが実行されており、そのアプリケーションによって取得された映像がディスプレイ１０４に表示されていることを表す。
【０１４７】
専用の画質調整モードが用意されている配信サービスＡの事業者、配信サービスＢの事業者などが「Partner」となる。以下、適宜、「Partner」専用の画質調整モードをPartner calibrated modeという。
【０１４８】
領域３０１Ａの下の領域３１１乃至３１６が、ユーザの操作に用いられる領域となる。領域３１１乃至３１６には、画質調整に関する項目が割り当てられる。ユーザは、リモートコントローラ４を操作して所定の項目を選択し、選択した項目の設定を変更することができる。
【０１４９】
領域３１１は、Picture modeの設定に用いられる領域である。図１８の例においては、Picture modeとして「Standard」が設定されている。
【０１５０】
領域３１２は、Auto picture modeの設定に用いられる領域である。
【０１５１】
領域３１１、領域３１２の表示は、それぞれ、例えば図４を参照して説明した領域６２、領域６３の表示と同じである。
【０１５２】
領域３１３は、「Partner」専用の画質調整モードであるPartner calibrated modeの設定に用いられる領域である。配信サービスＡのコンテンツの視聴中であるから、図１８の領域３１３には、「Partner calibrated mode for Service A」の文字が表示されている。「Partner calibrated mode for Service A」は、配信サービスＡのPartner calibrated mode、すなわち、上述したService A calibrated modeと同じである。
【０１５３】
なお、図１８の例においては、Partner calibrated modeの設定はオフとされている。デフォルトのPartner calibrated modeの設定は例えばオフである。
【０１５４】
リモートコントローラ４を操作してユーザが領域３１３を選択した場合、Partner calibrated modeのオン／オフを選択することが可能となる。
【０１５５】
領域３１４は、画質調整パラメータとしてのBrightnessの設定に用いられる領域である。図１８の例においては「35」の設定値が設定されている。
【０１５６】
領域３１５は、画質調整パラメータとしてのColorの設定に用いられる領域である。図１８の例においては「60」の設定値が設定されている。
【０１５７】
領域３１４、領域３１５の表示は、それぞれ、例えば図８を参照して説明した領域６４、領域６５の表示と同じである。Partner calibrated modeがオフである場合、ユーザは、Brightness、Colorの画質調整パラメータを任意に設定することができる。
【０１５８】
領域３１６は、Partner Offsetの設定に用いられる領域である。Partner Offsetは、Partner calibrated modeがオンとして設定されている場合の画質調整に用いられるOffsetである。Partner Offsetとして設定されているOffset値を用いて、Partner calibrated modeによって設定された画質調整パラメータによる画質調整に対してさらに調整が加えられる。
【０１５９】
すなわち、ユーザは、Partner Offsetの設定を行っておくことにより、Partner calibrated modeのオリジナルの映像（配信サービスから提供された画質調整パラメータを用いた画質調整後の映像）そのものではなく、さらに、自分の好みに応じて画質の微調整を行わせた映像を視聴することができる。
【０１６０】
図１８に示すようにPartner calibrated modeがオフとして設定されている場合、領域３１６はグレーアウトして表示される。この場合、Partner Offsetの設定は不可とされる。
【０１６１】
図１８において、領域３１６に色が付されていることは、領域３１６がグレーアウトして表示されていることを表す。グレーアウトしていない領域３１１乃至領域３１５は、ユーザが操作可能な領域となる。
【０１６２】
このような画質調整メニュー３０１の表示を用いて、ユーザは、配信サービスＡのコンテンツの画質調整を行うことができる。
【０１６３】
図１７の説明に戻り、Partner calibrated mode（Partner calibrated mode for Service A）がオンに設定された場合、矢印＃１１の先に示すように、コンテンツの映像は、Partner calibrated modeによる画質調整後の映像に切り替えられる。Brightness、Colorなどの画質調整パラメータとして、配信サービスＡから提供されたパラメータを用いた画質調整がコンテンツに対して施される。図１７の例においては、Brightnessとして「60」、Colorとして「50」の設定値がPartner calibrated modeの画質調整パラメータとして用いられている。
【０１６４】
画質調整メニュー３０１においては、領域３１１乃至領域３１６のうち、Partner calibrated modeの領域３１３とPartner Offsetの領域３１６だけが操作可能となり、他の領域はグレーアウトして表示される。
【０１６５】
図１７の下段の画質調整メニュー３０１において、領域３１３のPartner calibrated modeの設定はオンになっている。また、領域３１１のPicture modeの設定は、Partner calibrated modeが優先されることを表す「Partner calibrated」となる。
【０１６６】
この状態において、Partner calibrated modeがオフに設定された場合、矢印＃１２の先に示すように、コンテンツの映像は、Partner calibrated modeによる画質調整が行われていない映像に切り替えられる。画質調整メニュー３０１の表示も、Partner calibrated modeがオンに設定される前のオフ時の表示に戻ることになる。
【０１６７】
図１９は、Partner Offsetの設定時の表示例を示す図である。
【０１６８】
図１９の上段に示すようにPartner calibrated modeがオンである場合において、画質調整メニュー３０１の最下欄のPartner Offsetを設定することが選択されたとき、矢印＃１３の先に示すように、画質調整メニュー３０１に代えてOffsetメニュー３０２が表示される。Offsetメニュー３０２は、Partner Offsetの設定に用いられる表示である。
【０１６９】
図２０は、Offsetメニュー３０２を拡大して示す図である。
【０１７０】
最上段の領域３０２Ａには、Offsetメニュー３０２が、Partner Offsetの設定に用いられるメニューであることを表す「Partner Offset（Service A）」の文字が表示されている。
【０１７１】
領域３０２Ａの下の領域３３１、領域３３２が、ユーザの操作に用いられる領域となる。
【０１７２】
図２０の例においては、領域３３１が、BrightnessのOffset値の設定に用いられる領域である。また、領域３３２が、ColorのOffset値の設定に用いられる領域である。
【０１７３】
ユーザは、領域３３１を選択することによりBrightnessのOffset値を設定することができる。また、ユーザは、領域３３２を選択することにより、ColorのOffset値を設定することができる。
【０１７４】
Offset値の設定は、例えば、５段階の中からいずれかの段階を選択したり、+5/+3/-3/-5の中からいずれかのレベルを選択したりするなどの、基準に対する相対的な表現を用いた選択肢を用いて行われる。
【０１７５】
すなわち、Offset値の単位は、BrightnessやColorなどの調整パラメータの単位とは異なる単位となる。Offset値の値としては、BrightnessやColorを表す値（図１８の「35」、「60」）のような、絶対的な数値は用いられない。
【０１７６】
例えば、BrightnessのOffset値として「+5」が選択された場合、Partner calibrated modeによって規定されるBrightnessである「60」に対して「+5」に応じた所定の値が加算され、加算後の値がBrightnessの調整に用いられる。
【０１７７】
Offset値の設定が行われた後、画質調整メニュー３０１が表示される図１９の上段の状態に戻ることになる。
【０１７８】
なお、図１９の例においては、Offsetメニュー３０２を用いて設定可能なOffset値がBrightnessのOffset値とColorのOffset値の２つであるとしたが、Offsetメニュー３０２に表示される項目の数は、Partner calibrated mode毎に異なるものとなる。例えば、配信サービスＢのPartner calibrated mode（Partner calibrated mode for Service B）において、さらに多くの種類の画質調整パラメータのOffset値を設定することが可能とされるようにしてもよい。
【０１７９】
配信サービスＢのコンテンツの視聴中においても、以上のような表示と同様の表示を用いて、Partner calibrated modeの設定を含む、各種の画質調整に関する設定が行われる。
【０１８０】
図２１は、配信サービス毎の画面の表示例を示す図である。
【０１８１】
図２１の左側に示す表示は、コンテンツ視聴アプリケーション１２−Ａが起動し、配信サービスＡのコンテンツの視聴が行われている場合の上述した画面表示を表す。上段が、Partner calibrated mode for Service Aがオフである場合の表示を表し、中段が、Partner calibrated mode for Service Aがオンである場合の表示を表す。下段は、Offsetメニュー３０２の表示を表す。
【０１８２】
一方、図２１の右側に示す表示は、コンテンツ視聴アプリケーション１２−Ｂが起動し、配信サービスＢのコンテンツの視聴が行われている場合の画面表示を表す。上段が、Partner calibrated mode for Service Bがオフである場合の表示を表し、中段が、Partner calibrated mode for Service Bがオンである場合の表示を表す。下段は、Offsetメニュー３０２の表示を表す。
【０１８３】
矢印＃２１で示すように、画質調整メニュー３０１の入力種の表示は、コンテンツ視聴アプリケーション１２−Ａが起動している場合とコンテンツ視聴アプリケーション１２−Ｂが起動している場合とで共通して「Partner App」となる。
【０１８４】
矢印＃２２，＃２４で示すように、画質調整メニュー３０１のPicture modeの表示は、コンテンツ視聴アプリケーション１２−Ａが起動している場合とコンテンツ視聴アプリケーション１２−Ｂが起動している場合とで共通する。Partner calibrated modeがオフの場合は、ユーザによる選択内容を表す「Standard」などの設定値が表示され（矢印＃２２）、Partner calibrated modeがオンの場合は、Partner calibrated modeが優先されることを表す「Partner calibrated」が表示される（矢印＃２４）。
【０１８５】
矢印＃２３で示すように、Partner calibrated modeは、コンテンツ視聴アプリケーション１２−Ａとコンテンツ視聴アプリケーション１２−Ｂのそれぞれのアプリケーション毎にオン／オフの設定が可能とされる。
【０１８６】
矢印＃２５で示すように、Offsetメニュー３０２を用いたPartner Offsetの設定は、コンテンツ視聴アプリケーション１２−Ａとコンテンツ視聴アプリケーション１２−Ｂのそれぞれのアプリケーション毎に保持することが可能とされる。Partner calibrated mode for Service Aがオンである場合に設定されたPartner OffsetのOffset値は、Partner calibrated mode for Service Aの画質調整に用いられる。また、Partner calibrated mode for Service Bがオンである場合に設定されたPartner OffsetのOffset値は、Partner calibrated mode for Service Bの画質調整に用いられる。
【０１８７】
以上のように、コンテンツ視聴アプリケーション１２−Ａが起動している場合とコンテンツ視聴アプリケーション１２−Ｂが起動している場合とで、同様のユーザインタフェースを用いて画質調整のための設定が行われる。
【０１８８】
・画質調整パラメータの管理について
図２２は、画質調整パラメータの管理の例を示す図である。
【０１８９】
図２２に示すように、Partner calibrated modeの画質調整パラメータは、TV、HDMI（登録商標）など他の入力種の画質調整パラメータとともに、テーブル情報としてパラメータ記憶領域Ｍ１に記憶され、管理される。
【０１９０】
一方、Partner OffsetのOffset値は、アプリケーション毎に、パラメータ記憶領域Ｍ１とは異なる記憶領域であるOffset記憶領域Ｍ２に記憶され、管理される。
【０１９１】
例えば、パラメータ記憶領域Ｍ１は、揮発性の記憶領域であるRAM１０９（図１０）に形成される。Offset記憶領域Ｍ２は、不揮発性の記憶領域である記録部１１０に形成される。パラメータ記憶領域Ｍ１とOffset記憶領域Ｍ２が、例えば不揮発性の同じ記憶部（媒体）に形成されるようにしてもよい。
【０１９２】
パラメータ記憶領域Ｍ１に記憶されるテーブル情報は、入力種毎に、複数種類の画質調整パラメータを対応付けることによって構成される。画質調整パラメータの中には、複数の入力種によって共通して同じ値が用いられるものもある。複数の入力種によって共通して用いられる画質調整パラメータについては、コンテンツ視聴アプリケーション１２−Ａ、コンテンツ視聴アプリケーション１２−Ｂなどのコンテンツ視聴アプリケーションからは書き換えることが不可とされる。
【０１９３】
パラメータ記憶領域Ｍ１のうちのPartner calibrated modeに割り当てられた記憶領域であるCalibrated mode領域は、例えば、複数のコンテンツ視聴アプリケーションによって共有して用いられる。
【０１９４】
例えば、コンテンツ視聴アプリケーション１２−Ａの起動時、Calibrated mode領域には、デフォルトの画質調整パラメータが一度書き込まれる。配信サーバ２−１から取得されたPartner calibrated mode for Service A用の画質調整パラメータのセットは、先に記憶されたデフォルトの画質調整パラメータに上書きする形で、Calibrated mode領域に書き込まれる。
【０１９５】
Partner calibrated mode for Service Aがオンに設定された場合、起動時に書き込まれたPartner calibrated mode for Service A用の画質調整パラメータと、Offset記憶領域Ｍ２に記憶されているPartner calibrated mode for Service A用のOffset値に基づいて画質調整が行われる。
【０１９６】
コンテンツ視聴アプリケーション１２−Ｂの起動時も同様に、Calibrated mode領域には、デフォルトの画質調整パラメータが一度書き込まれる。配信サーバ２−２から取得されたPartner calibrated mode for Service B用の画質調整パラメータのセットは、先に記憶されたデフォルトの画質調整パラメータに上書きする形で、Calibrated mode領域に書き込まれる。
【０１９７】
Partner calibrated mode for Service Bがオンに設定された場合、起動時に書き込まれたPartner calibrated mode for Service B用の画質調整パラメータと、Offset記憶領域Ｍ２に記憶されているPartner calibrated mode for Service B用のOffset値に基づいて画質調整が行われる。
【０１９８】
各配信サービスの事業者は、任意の種類の画質調整パラメータを、Partner calibrated mode用の画質調整パラメータとして設定することが可能とされる。すなわち、Partner calibrated mode用の画質調整パラメータのセットに含まれる画質調整パラメータの種類は、配信サービス毎に異なる場合がある。
【０１９９】
デフォルトの画質調整パラメータが一度書き込まれた後に上書きする形で画質調整パラメータが書き込まれるようにすることにより、セットに含まれていない画質調整パラメータについては、デフォルトの画質調整パラメータを画質調整に用いることが可能となる。
【０２００】
ここで、BrightnessやColorなどのPartner calibrated modeの画質調整パラメータをユーザが好みに応じて調整することができ、調整後の画質調整パラメータがコンテンツ視聴アプリケーションによってCalibrated mode領域に書き込まれるとした場合について考える。この場合、Calibrated mode領域の情報が一度リセットされた後には、ユーザの設定内容もリセットされることになる。
【０２０１】
配信サービス毎のOffset値を不揮発性の記憶領域であるOffset記憶領域Ｍ２に記憶させておき、起動時に書き込まれた画質調整パラメータと、Offset値とを用いて画質調整が行われるようにすることにより、ユーザの設定内容が反映された画質調整が行われるようにすることが可能となる。
【０２０２】
Partner calibrated modeの画質調整パラメータの中には、SDR(Standard Dynamic Range)用／HDR(High Dynamic Range)用／DolbyVisionHDR用／・・・といったように、複数のサブパラメータを含むパラメータがある。例えば、再生を開始するコンテンツがSDRのコンテンツである場合、SDR用のサブパラメータが用いられ、HDRのコンテンツである場合、HDR用のサブパラメータが用いられる。
【０２０３】
パラメータ記憶領域Ｍ１に対する画質調整パラメータの書き込み時、再生を開始するコンテンツのSDR／HDR等の種別にかかわらず、複数のサブパラメータが配信サーバ２からまとめて取得され、パラメータ記憶領域Ｍ１に書き込まれる。再生を開始するコンテンツがSDRのコンテンツである場合、HDR用のサブパラメータは、種別の切り替えが行われたときのためにあらかじめ用意されるパラメータとなる。
【０２０４】
・その他
Partner Offsetをユーザが設定した場合、設定内容を表すログが配信サーバ２に対して送信されるようにしてもよい。
【０２０５】
この場合、Partner calibrated mode for Service Aがオンである場合に設定されたPartner OffsetのOffset値は、コンテンツ視聴アプリケーション１２−Ａによって配信サーバ２−１に対して送信される。また、Partner calibrated mode for Service Bがオンである場合に設定されたPartner OffsetのOffset値は、コンテンツ視聴アプリケーション１２−Ｂによって配信サーバ２−２に対して送信される。
【０２０６】
・コンピュータの構成例
上述した一連の処理は、ハードウェアにより実行することもできるし、ソフトウェアにより実行することもできる。一連の処理をソフトウェアにより実行する場合には、そのソフトウェアを構成するプログラムが、専用のハードウェアに組み込まれているコンピュータ、または汎用のパーソナルコンピュータなどに、プログラム記録媒体からインストールされる。
【０２０７】
図２３は、上述した一連の処理をプログラムにより実行するコンピュータのハードウェアの構成例を示すブロック図である。
【０２０８】
CPU(Central Processing Unit)１００１、ROM(Read Only Memory)１００２、RAM(Random Access Memory)１００３は、バス１００４により相互に接続されている。
【０２０９】
バス１００４には、さらに、入出力インタフェース１００５が接続されている。入出力インタフェース１００５には、キーボード、マウスなどよりなる入力部１００６、ディスプレイ、スピーカなどよりなる出力部１００７が接続される。また、入出力インタフェース１００５には、ハードディスクや不揮発性のメモリなどよりなる記憶部１００８、ネットワークインタフェースなどよりなる通信部１００９、リムーバブルメディア１０１１を駆動するドライブ１０１０が接続される。
【０２１０】
以上のように構成されるコンピュータでは、CPU１００１が、例えば、記憶部１００８に記憶されているプログラムを入出力インタフェース１００５及びバス１００４を介してRAM１００３にロードして実行することにより、上述した一連の処理が行われる。
【０２１１】
CPU１００１が実行するプログラムは、例えばリムーバブルメディア１０１１に記録して、あるいは、ローカルエリアネットワーク、インターネット、デジタル放送といった、有線または無線の伝送媒体を介して提供され、記憶部１００８にインストールされる。
【０２１２】
なお、コンピュータが実行するプログラムは、本明細書で説明する順序に沿って時系列に処理が行われるプログラムであっても良いし、並列に、あるいは呼び出しが行われたとき等の必要なタイミングで処理が行われるプログラムであっても良い。
【０２１３】
本明細書において、システムとは、複数の構成要素（装置、モジュール（部品）等）の集合を意味し、すべての構成要素が同一筐体中にあるか否かは問わない。したがって、別個の筐体に収納され、ネットワークを介して接続されている複数の装置、及び、１つの筐体の中に複数のモジュールが収納されている１つの装置は、いずれも、システムである。
【０２１４】
本明細書に記載された効果はあくまで例示であって限定されるものでは無く、また他の効果があってもよい。
【０２１５】
本技術の実施の形態は、上述した実施の形態に限定されるものではなく、本技術の要旨を逸脱しない範囲において種々の変更が可能である。
【０２１６】
例えば、本技術は、１つの機能をネットワークを介して複数の装置で分担、共同して処理するクラウドコンピューティングの構成をとることができる。
【０２１７】
また、上述のフローチャートで説明した各ステップは、１つの装置で実行する他、複数の装置で分担して実行することができる。
【０２１８】
さらに、１つのステップに複数の処理が含まれる場合には、その１つのステップに含まれる複数の処理は、１つの装置で実行する他、複数の装置で分担して実行することができる。
【０２１９】
・構成の組み合わせ例
本技術は、以下のような構成をとることもできる。
【０２２０】
（１）
特定の配信サービスによって配信されるコンテンツの視聴に用いられるアプリケーションの実行中に画質調整を行うことが指示された場合、前記特定の配信サービス用の画質調整モードの設定に関する表示を含む画質調整メニューを表示させる表示制御部を備える
画像処理装置。
（２）
前記表示制御部は、他の配信サービスによって配信されるコンテンツの視聴に用いられるアプリケーションの実行中に画質調整を行うことが指示された場合、前記画質調整モードの設定に関する表示を含まない前記画質調整メニューを表示させる
前記（１）に記載の画像処理装置。
（３）
前記表示制御部は、前記画質調整モードのオン、または前記画質調整モードのオフの設定に用いられる表示を含む前記画質調整メニューを表示させる
前記（１）または（２）に記載の画像処理装置。
（４）
前記画質調整モードがオンに設定された場合、予め設定された画質調整パラメータに従って、前記特定の配信サービスによって配信されるコンテンツの画質を調整する画質調整制御部をさらに備える
前記（３）に記載の画像処理装置。
（５）
前記表示制御部は、前記画質調整モードがオンに設定された場合、他の画質調整モードの設定に用いられる表示を操作不可の状態で表示させる
前記（３）または（４）に記載の画像処理装置。
（６）
前記表示制御部は、前記画質調整モードがオンに設定された場合、画質の調整に関するそれぞれの項目の設定に用いられる表示を操作可能な状態で表示させる
前記（３）乃至（５）のいずれかに記載の画像処理装置。
（７）
前記画質調整パラメータは、前記特定の配信サービスによって配信される全てのコンテンツに共通のパラメータとして設定される
前記（４）乃至（６）のいずれかに記載の画像処理装置。
（８）
前記画質調整パラメータが、前記特定の配信サービスによって配信されるコンテンツ毎に設定される場合、
前記画質調整制御部は、再生対象となるコンテンツの前記画質調整パラメータをサーバから取得し、コンテンツの画質を調整する
前記（４）乃至（６）のいずれかに記載の画像処理装置。
（９）
前記特定の配信サービスが複数あり、
前記画質調整制御部は、それぞれの前記特定の配信サービス用の前記画質調整パラメータに従って、それぞれの前記特定の配信サービスによって配信されるコンテンツの画質を調整する
前記（４）に記載の画像処理装置。
（１０）
前記画質調整制御部は、それぞれの前記特定の配信サービス用の前記画質調整パラメータとOffset値とに従って、それぞれの前記特定の配信サービスによって配信されるコンテンツの画質を調整する
前記（９）に記載の画像処理装置。
（１１）
前記画質調整制御部は、それぞれの前記特定の配信サービス用の前記画質調整パラメータを、それぞれの前記特定の配信サービスを提供するサーバから取得し、それぞれの前記特定の配信サービス用の前記Offset値を、ユーザによる操作に応じて取得する
前記（１０）に記載の画像処理装置。
（１２）
画像処理装置が、
特定の配信サービスによって配信されるコンテンツの視聴に用いられるアプリケーションの実行中に画質調整を行うことが指示された場合、前記特定の配信サービス用の画質調整モードの設定に関する表示を含む画質調整メニューを表示させる
表示制御方法。
（１３）
コンピュータに、
特定の配信サービスによって配信されるコンテンツの視聴に用いられるアプリケーションの実行中に画質調整を行うことが指示された場合、前記特定の配信サービス用の画質調整モードの設定に関する表示を含む画質調整メニューを表示させる
処理を実行させるためのプログラム。
【符号の説明】
【０２２１】
１  TV，  ２−１乃至２−Ｎ  配信サーバ，  １１  TV用OS，  １２−１  TV視聴アプリケーション，  １２−２  検索アプリケーション，  １２−３  画質調整アプリケーション，  １２−Ａ乃至１２−Ｎ  コンテンツ視聴アプリケーション，  １２１  コンテンツ再生制御部，  １２２  画質調整制御部，  １２３  メニュー表示制御部
【図１】
2020045108.tif 000003
【図２】
2020045108.tif 000004
【図３】
2020045108.tif 000005
【図４】
2020045108.tif 000006
【図５】
2020045108.tif 000007
【図６】
2020045108.tif 000008
【図７】
2020045108.tif 000009
【図８】
2020045108.tif 000010
【図９】
2020045108.tif 000011
【図１０】
2020045108.tif 000012
【図１１】
2020045108.tif 000013
【図１２】
2020045108.tif 000014
【図１３】
2020045108.tif 000015
【図１４】
2020045108.tif 000016
【図１５】
2020045108.tif 000017
【図１６】
2020045108.tif 000018
【図１７】
2020045108.tif 000019
【図１８】
2020045108.tif 000020
【図１９】
2020045108.tif 000021
【図２０】
2020045108.tif 000022
【図２１】
2020045108.tif 000023
【図２２】
2020045108.tif 000024
【図２３】
2020045108.tif 000025
【国際調査報告】
2020045108.tif 000026
2020045108.tif 000027
2020045108.tif 000028
2020045108.tif 000029